(57)【要約】【課題】紙葉状の媒体を安定的に集積できるようにする。【解決手段】リジェクトカセット１６は、集積空間ＳＣ内における上寄りの箇所に誘導体６１を設けた。誘導体６１は、搬送溝３１内を搬送される紙幣ＢＬによって変形部６１Ｐを変形させ当接部６１Ｑが持ち上げられた持上状態と、当該紙幣ＢＬの放出完了後に変形部６１Ｐの弾性力により当接部６１Ｑを下降させた下降状態とを遷移するようにした。このためリジェクトカセット１６は、紙幣ＢＬが放出部３７から放出される際に当接部６１Ｑを進行路Ｗ２から待避させる一方、最後に集積空間ＳＣ内に放出した紙幣ＢＬの後端が羽根車３８の回転軌跡３８Ｒよりも外側に位置していたときに、当接部６１Ｑを下降させ当該紙幣ＢＬの後端を回転軌跡３８Ｒ内に押し込んで舌片３８Ｔによって叩き落とさせることができ、当該紙幣ＢＬを整然と集積することができる。【選択図】図１２
2014154007.tif 000002
【特許請求の範囲】
【請求項１】
内部に形成された内部空間に媒体を収容するフレームと、
上記内部空間内に設けられ、載置面上に上記媒体を載置して集積するステージと、
上記内部空間のうち上記ステージの上記載置面側である集積空間内へ上記媒体を放出する放出部と、
上記媒体の一部が所定の叩付可能範囲にあるときに、当該媒体の一部を上記ステージの上記載置面又は当該載置面上に載置された集積済みの媒体上に叩き付ける叩付部と、
上記放出部から上記集積空間内へ放出された上記媒体の一部分を上記叩付可能範囲内へ誘導する誘導体と
を具えることを特徴とする媒体集積装置。
【請求項２】
上記集積空間における上記放出部と対向する位置で上記媒体を衝突させるビルストッパ
をさらに具え、
上記誘導体は、
上記放出部から上記媒体が放出されるときには上記集積空間内における当該媒体の進行路から待避し、当該媒体が上記放出部から放出され上記ビルストッパに衝突した後に、当該媒体の一部分を上記叩付可能範囲内へ誘導する
ことを特徴とする請求項１に記載の媒体集積装置。
【請求項３】
上記放出部へ上記媒体を搬送する放出搬送部
をさらに具え、
上記誘導体は、
上記放出搬送部により上記放出部へ搬送される媒体により、上記集積空間内における上記媒体の上記進行路から待避する
ことを特徴とする請求項２に記載の媒体集積装置。
【請求項４】
上記誘導体は、
少なくとも一部分を変形させることにより、上記集積空間内における上記媒体の上記進行路から待避する
ことを特徴とする請求項３に記載の媒体集積装置。
【請求項５】
上記ビルストッパは、
上記媒体が衝突する衝突面に、上記ステージから遠い部分よりも上記ステージに近い部分が上記放出部から離れるように段差が形成されている
ことを特徴とする請求項２に記載の媒体集積装置。
【請求項６】
上記誘導体は、
上記放出部から放出された上記媒体により、上記集積空間内における上記媒体の進行路から待避する
ことを特徴とする請求項１に記載の媒体集積装置。
【請求項７】
上記誘導体は、
少なくとも一部分を変位させることにより、上記集積空間内における上記媒体の進行路から待避する
ことを特徴とする請求項１に記載の媒体集積装置。
【請求項８】
上記誘導体は、
上記媒体のうち放出される方向に関する長さが最も短い最短媒体が上記集積空間内に放出された後、当該最短媒体の先端が上記ステージの上記載置面又は当該載置面上に載置された上記媒体の最上面に最も近接すると共に上記放出部から最も離れた場合に、当該最短媒体の末端と当接する当接部を上記叩付可能範囲内に位置させる
ことを特徴とする請求項１に記載の媒体集積装置。
【請求項９】
上記ステージの上記載置面又は当該載置面上に載置された上記媒体の最上面である載置最上面と上記放出部との間の高さを所定値以下に収めるように、上記ステージの位置を上記媒体の載置方向に沿って調整するステージ調整部
をさらに具えることを特徴とする請求項１に記載の媒体処理装置。
【請求項１０】
媒体を搬送する搬送部と、
内部に形成された内部空間に上記媒体を収容するフレームと、
上記内部空間内に設けられ、載置面上に上記媒体を載置して集積するステージと、
上記内部空間のうち上記ステージの上記載置面側である集積空間内へ上記媒体を放出する放出部と、
上記媒体の一部が所定の叩付可能範囲にあるときに、当該媒体の一部を上記ステージの上記載置面又は当該載置面上に載置された集積済みの媒体上に叩き付ける叩付部と、
上記放出部から上記集積空間内へ放出された上記媒体の一部分を上記叩付可能範囲内へ誘導する誘導体と
を具えることを特徴とする媒体処理装置。
【発明の詳細な説明】
【技術分野】
【０００１】
本発明は媒体集積装置及び媒体処理装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う接客部と、紙幣を搬送する搬送部と、投入された紙幣の金種及び真偽を鑑別する鑑別部と、投入された紙幣を一時的に保留する一時保留部と、金種ごとに紙幣を収納する紙幣カセットと、再使用すべきでない紙幣を収納するリジェクトカセットとを有するものが提案されている。
【０００４】
この現金自動預払機は、入金取引において、顧客が接客部に紙幣を投入すると、投入された紙幣を搬送して鑑別部で鑑別し、正常紙幣と鑑別された紙幣を一時保留部へ収納する一方、取引すべきでないと鑑別された紙幣を接客部へ戻して顧客に返却する。
【０００５】
続いて現金自動預払機は、顧客により入金金額が確定されると、一時保留部に収納している紙幣を繰り出してその金種を鑑別部により再鑑別し、鑑別された金種に応じて各紙幣カセットに収納すると共に、損傷の程度が大きいと鑑別された紙幣をリジェクトカセットに収納する。
【０００６】
例えば図２１に示すように、従来のリジェクトカセット２１６は、内部に紙幣を集積するための集積空間ＳＣが形成されており、その後側部の上側に設けられた搬送溝３１に沿って搬送路が形成されている。
【０００７】
搬送溝３１の近傍には、矢印Ｒ１方向へ回転駆動される紙幣搬送ローラ３５及びこれに追従して矢印Ｒ２方向へ回転する紙幣搬送ローラ３６等が適宜配置されている。紙幣搬送ローラ３５及び３６等は、紙幣ＢＬの短手方向を進行方向として搬送溝３１に沿って搬送し（紙幣ＢＬ１１）、集積空間ＳＣ内へ放出するようになされている。
【０００８】
放出された紙幣ＢＬは、集積空間ＳＣ内を前方へ進行し（紙幣ＢＬ１２）、前側部に設けられたビルストッパ４１に衝突して衝撃が吸収される。さらに紙幣ＢＬは、集積空間ＳＣの後側部に設けられ矢印Ｒ１方向へ回転する羽根車３８の舌片３８Ｔにより、下方へ叩き落とされると共にステージ２３上で後方へ引き寄せられる（紙幣ＢＬ１３）。
【０００９】
またリジェクトカセット２１６のビルストッパ４１は、紙幣ＢＬが衝突する後側に段差が形成されることにより、短手方向の長さが異なる複数種類の紙幣ＢＬに対応し得るようになされている（例えば、特許文献１参照）。
【先行技術文献】
【特許文献】
【００１０】
【特許文献１】特開２００８−２７６４８５公報（第２図）
【発明の概要】
【発明が解決しようとする課題】
【００１１】
しかしながら、かかる構成のリジェクトカセット２１６では、例えば図２２に示すように、使用等により強度が弱まった紙幣ＢＬが放出された際に、その先端（前側の端部）が下方へ垂れ下がると共にその末端（後側の端部）が上方へ持ち上がってしまうことがある（紙幣ＢＬ１４）。
【００１２】
このときリジェクトカセット２１６では、紙幣ＢＬが羽根車３８の回転範囲３８Ｒから完全に外れてしまい、舌片３８Ｔにより当該紙幣ＢＬを下方へ叩き落とすことができず、当該紙幣ＢＬ１４により後続の紙幣ＢＬ１５の進行路を塞いでしまう。
【００１３】
この結果、リジェクトカセット２１６では、先行する紙幣ＢＬ１４に後続の紙幣ＢＬ１５が衝突して紙幣ＢＬの詰まりや損傷を発生させ、当該紙幣ＢＬを適切に集積できなくなる恐れがある、という問題があった。
【００１４】
本発明は以上の点を考慮してなされたもので、紙葉状の媒体を安定的に集積し得る媒体集積装置及び媒体処理装置を提案しようとするものである。
【課題を解決するための手段】
【００１５】
かかる課題を解決するため本発明の媒体集積装置においては、内部に形成された内部空間に媒体を収容するフレームと、内部空間内に設けられ、載置面上に媒体を載置して集積するステージと、内部空間のうちステージの載置面側である集積空間内へ媒体を放出する放出部と、媒体の一部が所定の叩付可能範囲にあるときに、当該媒体の一部をステージの載置面又は当該載置面上に載置された集積済みの媒体上に叩き付ける叩付部と、放出部から集積空間内へ放出された媒体の一部分を叩付可能範囲内へ誘導する誘導体とを設けるようにした。
【００１６】
また本発明の媒体処理装置においては、媒体を搬送する搬送部と、内部に形成された内部空間に媒体を収容するフレームと、内部空間内に設けられ、載置面上に媒体を載置して集積するステージと、内部空間のうちステージの載置面側である集積空間内へ媒体を放出する放出部と、媒体の一部が所定の叩付可能範囲にあるときに、当該媒体の一部をステージの載置面又は当該載置面上に載置された集積済みの媒体上に叩き付ける叩付部と、放出部から集積空間内へ放出された媒体の一部分を叩付可能範囲内へ誘導する誘導体とを設けるようにした。
【００１７】
これにより本発明では、媒体が集積空間に放出された後、叩付可能範囲の外へ完全に移動してしまったとしても、誘導部により当該媒体の一部を叩付可能範囲内へ誘導することができるので、叩付部により当該媒体をステージ上に叩き付けて集積させることができる。
【発明の効果】
【００１８】
本発明によれば、媒体が集積空間に放出された後、叩付可能範囲の外へ完全に移動してしまったとしても、誘導部により当該媒体の一部を叩付可能範囲内へ誘導することができるので、叩付部により当該媒体をステージ上に叩き付けて集積させることができる。かくして本発明は、紙葉状の媒体を安定的に集積し得る媒体集積装置及び媒体処理装置を実現できる。
【図面の簡単な説明】
【００１９】
【図１】現金自動預払機の外観構成を示す略線的斜視図である。
【図２】紙幣入出金機の構成を示す略線図である。
【図３】リジェクトカセットの構成を示す略線図である。
【図４】リジェクトカセットの構成を示す略線図である。
【図５】ステージの構成を示す略線的斜視図である。
【図６】ステージの構成を示す略線図である。
【図７】最短紙幣に対するビルストッパの動作を示す略線図である。
【図８】最長紙幣に対するビルストッパの動作を示す略線図である。
【図９】ステージ上限検知部の構成を示す略線図である。
【図１０】ステージの位置制御を示す略線図である。
【図１１】誘導体の構成を示す略線図である。
【図１２】誘導体の構成を示す略線図である。
【図１３】紙幣の集積（１）を示す略線図である。
【図１４】紙幣の集積（２）を示す略線図である。
【図１５】紙幣の集積（３）を示す略線図である。
【図１６】紙幣の集積（４）を示す略線図である。
【図１７】紙幣の集積（５）を示す略線図である。
【図１８】紙幣の集積（６）を示す略線図である。
【図１９】紙幣の集積（７）を示す略線図である。
【図２０】他の実施の形態による誘導体の構成を示す略線図である。
【図２１】従来のリジェクトカセットの構成を示す略線図である。
【図２２】従来のリジェクトカセットにおける紙幣の衝突を示す略線図である。
【発明を実施するための形態】
【００２０】
以下、発明を実施するための形態（以下実施の形態とする）について、図面を用いて説明する。
【００２１】
［１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２２】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に応対部３が設けられている。
【００２３】
応対部３は、筐体２の前上側部分に設けられており、顧客との間で現金や通帳等を直接やり取りすると共に、取引に関する情報の通知や操作指示の受付を行うようになされている。
【００２４】
応対部３には、正面を向くようにカード入出口４及び通帳入出口５が設けられると共に、上方を向くように紙幣入出金口６、硬貨入出金口７及び表示操作部８が設けられている。
【００２５】
カード入出口４は、キャッシュカード等の各種カードが挿入又は排出される部分である。カード入出口４の奥側には、各種カードに磁気記録された口座番号等の読み取りを行うカード処理部が設けられている。
【００２６】
通帳入出口５は、通帳が挿入又は排出される部分である。通帳入出口５の奥側には、通帳に記録された磁気情報の読み取りや取引内容の印字処理等を行う通帳処理部が設けられている。
【００２７】
紙幣入出金口６は、顧客が入金する紙幣が投入されると共に、顧客へ出金する紙幣が排出される部分である。また紙幣入出金口６は、後述するシャッタを駆動することにより開放又は閉塞するようになされている。
【００２８】
硬貨入出金口７は、顧客が入金する硬貨が投入されると共に、顧客へ出金する硬貨が排出される部分である。また硬貨入出金口７は、紙幣入出金口６と同様にシャッタを駆動することにより開放又は閉塞するようになされている。
【００２９】
表示操作部８は、取引に際して操作画面を表示するＬＣＤ（Liquid Crystal Display）と、取引の種類の選択、暗証番号や取引金額等を入力するタッチセンサとが一体化されたタッチパネルとなっている。
【００３０】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３１】
筐体２内には、現金自動預払機１全体を統括制御する主制御部９や、紙幣に関する種々の処理を行う紙幣入出金機１０等が設けられている。
【００３２】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３３】
また主制御部９は、内部にＲＡＭ（Random Access Memory）、ハードディスクドライブやフラッシュメモリ等でなる記憶部を有しており、この記憶部に種々の情報を記憶させるようになされている。
【００３４】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３５】
紙幣入出金機１０は、図２に側面図を示すように、内部に紙幣に関する種々の処理を行う複数の部分が組み込まれている。また紙幣入出金機１０の各部分は、紙幣制御部１１により制御されるようになされている。
【００３６】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３７】
また紙幣制御部１１は、内部にＲＡＭ及びフラッシュメモリ等でなる記憶部を有しており、この記憶部に種々の情報を記憶させるようになされている。
【００３８】
紙幣制御部１１は、例えば顧客が紙幣を入金する入金取引を行う場合、表示操作部８（図１）を介して所定の操作入力を受け付けた後、シャッタを開いて接客部１２内に形成された収容空間１２Ａへ紙幣を投入させる。
【００３９】
接客部１２は、収容空間１２Ａに紙幣が投入されると、シャッタを閉じて当該収容空間１２Ａ内から紙幣を１枚ずつ繰り出し、搬送部１３へ受け渡す。搬送部１３は、複数のローラやベルト等により構成されており、長方形の紙葉状に構成された紙幣を短辺方向に沿って進行させ、鑑別部１４へ搬送する。
【００４０】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００４１】
このとき搬送部１３は、鑑別部１４において正常紙幣と鑑別された紙幣を一時保留部１５へ搬送する等して一時的に保留させる一方、取引すべきでないと鑑別されたリジェクト紙幣を接客部１２へ搬送して顧客に返却する。
【００４２】
その後紙幣制御部１１は、表示操作部８を介して顧客に入金金額を確定させ、一時保留部１５に保留している紙幣を搬送部１３により鑑別部１４へ搬送してその金種及び損傷の程度等を鑑別させ、その鑑別結果を取得する。
【００４３】
そして紙幣制御部１１は、紙幣の損傷の程度が大きければ、これを再利用すべきでない紙幣として搬送部１３によりリジェクトカセット１６へ搬送して収納させ、損傷の程度が小さければ、これを再利用すべき紙幣として搬送部１３により搬送させ、その金種に応じた紙幣カセット１７に収納させるようになされている。
【００４４】
また紙幣制御部１１は、例えば顧客が紙幣を出金する出金取引を行う場合、表示操作部８（図１）を介して所定の操作入力を受け付けた後、出金すべき金額に応じた紙幣を紙幣カセット１７から繰り出させ、搬送部１３により鑑別部１４へ搬送させる。
【００４５】
続いて紙幣制御部１１は、この紙幣を鑑別部１４により鑑別させた上で、搬送部１３により接客部１２へ搬送して収容空間１２Ａ内に集積させ、紙幣入出金口６（図１）のシャッタを開いて顧客に取り出させる。
【００４６】
因みにリジェクトカセット１６及び紙幣カセット１７は、筐体２（図１）の後面に設けられた扉が開放され後方へ紙幣入出金機１０又はその一部分が引き出された状態において、当該紙幣入出金機１０に対し着脱し得るようになされている。
【００４７】
このようにリジェクトカセット１６は、損傷の程度が大きく再利用されないリジェクト紙幣が搬送部１３により搬送されてくると、これを内部に収納するようになされている。
【００４８】
［２．リジェクトカセットの構成］
［２−１．各部の構成］
次に、リジェクトカセット１６の構成について説明する。図３及び図４に示すように、リジェクトカセット１６は、全体として直方体状に構成されたフレーム２１内に複数の部品が取り付けられている。
【００４９】
因みに図３は、リジェクトカセット１６を左側から見た側面図を表し、図４はそのＡ１−Ａ２断面を前側から見た断面図の一部を表している。なお説明の都合上、各部品は簡略化されており、さらに一部の部品は省略され、或いは透過されている。
【００５０】
フレーム２１（図３）は、内部に直方体状の内部空間２１Ｓが形成されている。内部空間２１Ｓは、その下側、前側及び後側においてそれぞれ下側部２１Ａ、後側部２１Ｂ及び上側部２１Ｃにより囲まれる一方、前側が大きく開放されることにより外部と連通している。
【００５１】
またフレーム２１の前側には、前扉２２が設けられている。前扉２２は、図示しない蝶番を介してフレーム２１に取り付けられており、当該フレーム２１に対し蝶番を介して回動することにより、内部空間２１Ｓを外部から閉塞し、また外部へ開放するようになされている。
【００５２】
内部空間２１Ｓ内には、ステージ２３が設けられている。ステージ２３は、上下方向に薄い板状に形成されており、その上面である載置面２３Ａに紙幣ＢＬを載置し得るようになされている。またステージ２３は、内部空間２１Ｓを上下方向に仕切っており、このうち上側の部分を、紙幣ＢＬを集積すべき空間である集積空間ＳＣとしている。
【００５３】
このステージ２３は、図５及び図６に示すように、左右にステージ支持部２４及び２５がそれぞれ取り付けられている。ステージ支持部２４及び２５は、いずれも小さな直方体状に形成されており、さらに上下方向に貫通する貫通孔がそれぞれ穿設されている。
【００５４】
またフレーム２１内の左右両端近傍には、上下方向に細長い円柱状に形成されたステージガイド２６及び２７がそれぞれ設けられている。このステージガイド２６及び２７は、それぞれステージ支持部２４及び２５に挿通されている。
【００５５】
さらにフレーム２１内には、ステージ２３を上下方向へ駆動するためのアクチュエータやギア等でなるステージ駆動部３０（図３）が設けられている。このステージ駆動部３０は、紙幣入出金機１０の紙幣制御部１１（図２）により制御されるようになされている。
【００５６】
すなわちステージ２３は、紙幣制御部１１（図２）の制御に基づき、ステージ駆動部３０により上方向又は下方向へ駆動されるようになされている。
【００５７】
一方、リジェクトカセット１６の上部後側には、図３に示したように、フレーム２１の上面側と内部空間２１Ｓの後側面上部との間を連通させる搬送溝３１が形成されている。
【００５８】
搬送溝３１は、フレーム２１の上面近傍においてほぼ上下方向に沿って形成される一方、内部空間２１Ｓの後側面近傍においてほぼ前後方向に沿って形成されており、両者の接続部分が滑らかに湾曲されている。また搬送溝３１は、紙幣ＢＬに合わせて断面形状が形成されており、搬送路Ｗ１に沿って当該紙幣ＢＬを進行させ得るようになされている。
【００５９】
また搬送溝３１における上寄りの箇所には、搬送路Ｗ１を前後から挟むように、紙幣搬送ローラ３２及び３３が配置されている。紙幣搬送ローラ３２及び３３は、いずれも左右方向に中心軸を向けた円柱状に形成されている。
【００６０】
紙幣搬送ローラ３３は、図示しないアクチュエータから駆動力が伝達されることにより、矢印Ｒ２方向へ回転するようになされている。紙幣搬送ローラ３２は、自在に回転し得るようになされると共に、紙幣搬送ローラ３３に付勢されている。
【００６１】
このため紙幣搬送ローラ３２は、駆動力が伝達され矢印Ｒ２方向へ回転されると、紙幣搬送ローラ３３を矢印Ｒ１方向へ回転させる。また紙幣搬送ローラ３２は、このとき紙幣ＢＬが搬送路Ｗ１上にあれば、当該紙幣ＢＬを紙幣搬送ローラ３３との間に挟み込んで下方へ搬送する。
【００６２】
さらに、搬送溝３１における下端近傍、すなわち内部空間２１Ｓとの接続箇所の近傍には、搬送路Ｗ１を上下から挟むように、紙幣搬送ローラ３５及び３６が配置されている。
【００６３】
紙幣搬送ローラ３５は、図４に示したように糸巻き状に、すなわち左右の両端部分よりも中央部分の外径が小さくなるように形成されており、中心軸を左右方向に向けた回転軸３４に挿通されている。因みに回転軸３４には、２個の紙幣搬送ローラ３５が左右方向に間隔を空けるよう取り付けられている。またこの回転軸３４は、図示しないアクチュエータから駆動力が伝達されることにより、矢印Ｒ１方向へ回転するようになされている。
【００６４】
紙幣搬送ローラ３６は、中心軸を左右方向に向けた円柱状に形成されており、図示しない付勢機構により下方向へ、すなわち紙幣搬送ローラ３５に向けて付勢されている。またリジェクトカセット１６には、２個の紙幣搬送ローラ３６が設けられており、それぞれ紙幣搬送ローラ３５における中央部分と対向するように配置されている。
【００６５】
このため紙幣搬送ローラ３５は、回転軸３４に駆動力が伝達されると、矢印Ｒ１方向（図３）へ回転され、紙幣搬送ローラ３６を矢印Ｒ２方向へ回転させる。また紙幣搬送ローラ３５は、このとき紙幣ＢＬが搬送路Ｗ１上にあれば、当該紙幣ＢＬを紙幣搬送ローラ３６をとの間に挟み込んで前方へ送り出し、紙幣搬送ローラ３５及び３６の当接点である放出点Ｐから当該紙幣ＢＬを集積空間ＳＣ内へ放出する。以下では、紙幣搬送ローラ３５及び３６を合わせて放出部３７と呼ぶ。
【００６６】
因みにこのとき紙幣ＢＬは、紙幣搬送ローラ３５の両端部分等により上下方向への曲げ癖が付されるため、放出点Ｐから放出されるときに上下方向への曲げ強度が高められることになり、集積空間ＳＣ内でほぼまっすぐ前方へ進行する。
【００６７】
また回転軸３４には、紙幣搬送ローラ３５に加えて、叩付部としての羽根車３８が挿通されている。羽根車３８は、回転軸３４に取り付けられた中心部（図示せず）から４枚の舌片３８Ｔを放射状に外方へ延長させている。舌片３８Ｔは、薄く細長い板状に形成されており、可撓性を有すると共に、表面の摩擦力が比較的大きくなっている。
【００６８】
この羽根車３８は、回転軸３４が回転されると紙幣搬送ローラ３５と共に矢印Ｒ１方向へ回転される。このとき舌片３８Ｔは、集積空間ＳＣ内に放出された紙幣ＢＬが回転軌跡３８Ｒの範囲内にあれば、これを下方へ、すなわちステージ２３の上面又は当該ステージ２３上に既に載置されている紙幣ＢＬの上面に叩き落とす。さらに舌片３８Ｔは、叩き落とした紙幣ＢＬの上面に密着するように撓み、当該紙幣ＢＬとの間に摩擦力を作用させて後方へ引き寄せることができる。
【００６９】
［２−２．ビルストッパの構成］
一方、リジェクトカセット１６の上部前側には、ビルストッパ４１が設けられている。ビルストッパ４１は、上下方向に細長い直方体状に形成されると共に、後面側に大きな段差が形成されている。すなわちビルストッパ４１は、下部４１Ｂの後面が前扉２２の後側面２２Ｘとほぼ同等であるのに対し、上部４１Ａの後面がこれらよりも所定距離だけ後方へ突出している。
【００７０】
またビルストッパ４１は、その下端近傍に左右方向に貫通する挿通孔４１Ｃが穿設されており、この挿通孔４１Ｃに回動軸４２が挿通されている。この回動軸４２には、複数のビルストッパ４１が左右方向に所定の間隔を空けるように挿通されている。また回動軸４２は、前扉２２に取り付けられている。
【００７１】
さらにビルストッパ４１の前面と前扉２２との間には、圧縮スプリングでなるスプリング４３が取り付けられている。
【００７２】
このためビルストッパ４１は、集積空間ＳＣ内に放出された紙幣ＢＬが後面に衝突すると、スプリング４３を圧縮させながら回動軸４２を中心に前方へ回動することにより、その衝撃を吸収する。続いてビルストッパ４１は、スプリング４３の弾性力、すなわち伸長しようとする力により後方へ回動し、後面に当接している紙幣ＢＬに力を加えて後方へ進行させることができる。
【００７３】
ところでリジェクトカセット１６では、短手方向の長さが最も短い紙幣ＢＬ（以下これを最短紙幣ＢＬＳと呼ぶ）が放出部３７から放出されて衝突した場合、放出されてから衝突するまでの距離が比較的長いため、その勢いが低下する。
【００７４】
このためビルストッパ４１は、図７に示すように、その衝撃によっては殆ど回動しない。これによりビルストッパ４１は、最短紙幣ＢＬＳの後端部分を羽根車３８の回転軌跡３８Ｒ内に留めることができ、舌片３８Ｔにより当該後端部分を叩き落とさせることができる。
【００７５】
一方、リジェクトカセット１６では、短手方向の長さが最も長い紙幣ＢＬ（以下これを最長紙幣ＢＬＬと呼ぶ）が放出部３７から放出されて衝突した場合、放出されてから衝突するまでの距離が比較的短いため、その勢いが殆ど低下しない。
【００７６】
このためビルストッパ４１は、図８に示すように、その衝撃によって前方向へ回動する。最長紙幣ＢＬＬは、羽根車３８の回転軌跡３８Ｒ内にある後端部分が舌片３８Ｔにより叩き落とされてステージ２３上に載置される。このときビルストッパ４１は、後面の下側部分が上側部分よりも前方に位置しているため、ステージ２３や載置された最長紙幣ＢＬＬとの干渉を回避することができる。
【００７７】
このようにビルストッパ４１は、後面に段差が形成されていることにより、最短紙幣ＢＬＳの後端を羽根車３８の回転軌跡３８Ｒの範囲内に留めることと、ステージ２３及びこれに載置された最長紙幣ＢＬＬとの干渉を回避することとを両立させている。
【００７８】
［２−３．ステージの検知及び位置制御］
またリジェクトカセット１６（図３）には、紙幣ＢＬの集積状態を検出する最上面検知部５１及び残留検知部５２と、ステージ２３の位置を検出するステージ上限検知部５３とが設けられている。
【００７９】
最上面検知部５１は、検知光Ｌ１を発光する発光部５１Ａと、当該検知光Ｌ１を受光する受光部５１Ｂとにより構成されている。
【００８０】
発光部５１Ａは、フレーム２１の上側部２１Ｃ内に取り付けられており、検知光Ｌ１を下斜め後方へ向けて発光するようになされている。また受光部５１Ｂは、後側部２１Ｂ内に取り付けられており、上斜め前方から進行してくる検知光Ｌ１を受光するようになされている。
【００８１】
また発光部５１Ａ及び受光部５１Ｂは、検知光Ｌ１が高さＨ１にある検知点Ｄ１を通過するよう、その取付位置が調整されている。
【００８２】
発光部５１Ａにより発光された検知光Ｌ１は、その光路上で遮られなければ、受光部５１Ｂにより受光される。一方検知光Ｌ１は、検知点Ｄ１にステージ２３又は当該ステージ２３上に載置された紙幣ＢＬが位置している場合、これらにより遮光されるため、受光部５１Ｂに到達できない。
【００８３】
すなわち、受光部５１Ｂにおいて検知光Ｌ１を受光したことは、ステージ２３の上面又は当該ステージ２３上に載置された紙幣ＢＬの最上面（以下これを載置最上面と呼ぶ）が高さＨ１よりも低い位置にあることを表す。また、受光部５１Ｂにおいて検知光Ｌ１を受光しなかったことは、載置最上面が高さＨ１よりも高い位置にあることを表す。
【００８４】
受光部５１Ｂは、検知光Ｌ１を受光したか否かを表す最上面検知信号を生成し、これを紙幣制御部１１（図２）へ供給するようになされている。これに応じて紙幣制御部１１は、この最上面検知信号を基に、載置最上面が高さＨ１よりも高いか否かを認識するようになされている。
【００８５】
残留検知部５２は、検知光Ｌ２を発光する発光部５２Ａと、当該検知光Ｌ２を受光する受光部５２Ｂとにより構成されている。
【００８６】
発光部５２Ａは、フレーム２１の上側部２１Ｃ内に取り付けられており、ほぼ真下へ向けて検知光Ｌ２を発光する。また受光部５２Ｂは、フレーム２１の上側部２１Ｃ内における発光部５２Ａの前方に取り付けられており、ほぼ真下から進行してくる検知光Ｌ２を受光する。
【００８７】
さらにステージ２３内には、発光部５２Ａ及び受光部５２Ｂのほぼ真下となる箇所に、検知光Ｌ２を反射するミラー２３Ｍ１及び２３Ｍ２がそれぞれ組み込まれている。ミラー２３Ｍ１は、その反射面を上斜め前方向に向けている。またミラー２３Ｍ２は、その反射面を上斜め後方向に向けている。
【００８８】
ステージ２３上に紙幣ＢＬが載置されていない場合、発光部５２Ａから発光された検知光Ｌ２は、ミラー２３Ｍ１及び２３Ｍ２により順次反射され、受光部５２Ｂにより受光される。一方、ステージ２３上に１枚以上の紙幣ＢＬが載置されている場合、検知光Ｌ２は、当該紙幣ＢＬにより遮光されるため、受光部５２Ｂに到達できない。
【００８９】
すなわち、受光部５２Ｂにおいて検知光Ｌ２を受光したことは、ステージ２３上に紙幣ＢＬが全く載置されていないことを表す。また、受光部５２Ｂにおいて検知光Ｌ２を受光しなかったことは、ステージ２３上に紙幣ＢＬが１枚以上載置されていること（残留していること）を表す。
【００９０】
受光部５２Ｂは、検知光Ｌ２を受光したか否かを表す残留検知信号を生成し、これを紙幣制御部１１（図２）へ供給するようになされている。これに応じて紙幣制御部１１は、この残留検知信号を基に、ステージ２３上に紙幣ＢＬが残留しているか否かを認識するようになされている。
【００９１】
ステージ上限検知部５３は、フレーム２１の後側部２１Ｂ（図３）における、検知点Ｄ１よりも上側に取り付けられている。
【００９２】
またステージ上限検知部５３は、図９に示すように、検知光Ｌ３を発光する発光部５３Ａと、当該検知光Ｌ３を受光する受光部５３Ｂとにより構成されている。このステージ上限検知部５３は、上方からみて略Ｕ字状に形成されており、発光部５３Ａと受光部５３Ｂとの間に所定の間隔を空けて互いに対向させている。
【００９３】
発光部５３Ａは、右方向へ向けて、すなわち受光部５３Ｂへ向けて検知光Ｌ３を発光する。また受光部５３Ｂは、左方向から、すなわち発光部５３Ａ側から進行してくる検知光Ｌ３を受光する。
【００９４】
一方、ステージ２３の上面には、遮光突起２３Ｄが立設されている（図４）。この遮光突起２３Ｄは、ステージ２３が移動可能な範囲のうち最も上側の位置（すなわち上限）に移動し、当該ステージ２３の載置面２３Ａを高さＨ１よりも上側に位置させたときに、図９に示したように発光部５３Ａと受光部５３Ｂとの間に位置して検知光Ｌ３を遮光するようになされている。
【００９５】
すなわち、受光部５３Ｂにおいて検知光Ｌ３を受光したことは、ステージ２３が移動可能な範囲の上限に達していないことを表す。また、受光部５３Ｂにおいて検知光Ｌ２を受光しなかったことは、ステージ２３が移動可能な範囲の上限に達したことを表す。
【００９６】
受光部５３Ｂは、検知光Ｌ３を受光したか否かを表すステージ上限検知信号を生成し、これを紙幣制御部１１（図２）へ供給するようになされている。これに応じて紙幣制御部１１は、このステージ上限検知信号を基に、ステージ２３が移動可能な範囲の上限に達したか否かを認識するようになされている。
【００９７】
一方、紙幣制御部１１は、ステージ駆動部３０と共にステージ調整部としての機能を実現するようになされており、最上面検知部５１及びステージ上限検知部５３による最上面検知信号及びステージ上限検知信号を基に、ステージ２３の位置（高さ）を制御する。
【００９８】
例えば紙幣制御部１１は、電源が投入されると、ステージ上限検知部５３からのステージ上限検知信号を監視しながら、ステージ駆動部３０を制御してステージ２３を最も上方へ移動させる。
【００９９】
紙幣制御部１１は、ステージ上限検知信号を基にステージ２３が移動可能な範囲の上限に達したことを認識すると、ステージ２３の上方への移動を中止する。
【０１００】
続いて紙幣制御部１１は、最上面検知部５１からの最上面検知信号を監視しながらステージ２３を徐々に下方へ移動させていく。
【０１０１】
紙幣制御部１１は、ステージ２３の載置面２３Ａが高さＨ１に達したことを認識すると、ステージ駆動部３０を制御することにより、図１０（Ａ）に示すように、当該ステージ２３を所定の移動距離ΔＨだけ下方へ移動させ、その載置面２３Ａを高さＨ２に合わせる。
【０１０２】
因みに移動距離ΔＨは、例えば紙幣ＢＬを１０枚重ねたときの厚さに相当する距離となっている。
【０１０３】
その後紙幣制御部１１は、最上面検知部５１からの最上面検知信号を常に監視しながら、リジェクトカセット１６に順次搬送されてくる紙幣ＢＬについて、放出部３７から集積空間ＳＣ内への放出及びステージ２３上への集積を繰り返す。
【０１０４】
やがて紙幣制御部１１は、図１０（Ｂ）に示すように、ステージ２３上に載置された紙幣ＢＬの最上面（すなわち載置最上面）が上昇して高さＨ１を超えたとき、最上面検知部５１からの最上面検知信号を基にこのことを認識する。
【０１０５】
続いて紙幣制御部１１は、ステージ駆動部３０を制御することにより、図１０（Ｃ）に示すように、ステージ２３を移動距離ΔＨだけ下方へ移動させ、載置最上面を高さＨ２に合わせる。
【０１０６】
これにより紙幣制御部１１は、集積空間ＳＣの高さ、すなわちフレーム２１の上側部２１Ｃにおける下面２１ＣＸから載置最上面までの距離である集積空間高さＨＳＣを、紙幣ＢＬの放出に必要な距離以上に維持するようになされている。
【０１０７】
［２−４．誘導体の構成］
かかる構成に加えてリジェクトカセット１６（図３）には、集積空間ＳＣ内における上寄りの箇所に、誘導体６１が設けられている。
【０１０８】
誘導体６１は、図１１（Ａ）に示すように、薄板状の金属部材が複数箇所において折り曲げられており、左右方向から見たときに、前後に長い楕円の下半分を折れ線により粗く近似したような形状となっている。この折れ線を構成する各線分に相当する各部分は、後側から順に部分６１Ａ、６１Ｂ、６１Ｃ、６１Ｄ、６１Ｅ及び６１Ｆとなっている。
【０１０９】
また誘導体６１は、図４に示したように、左右方向の幅が比較的狭くなっている。因みにリジェクトカセット１６には、２個の誘導体６１が左右方向に所定の間隔を空けるように設けられている。
【０１１０】
一方、図１１（Ａ）に示したように、フレーム２１の上側部２１Ｃ内には、取付部材６２が設けられている。この取付部材６２は、上側部２１Ｃに固定された基部６２Ａから後方に向けて延長部６２Ｂが延設されており、その後端から下方へ向けて取付部６２Ｃが延設されている。この取付部６２Ｃは、紙幣搬送ローラ３６の後側であって、且つ放出点Ｐよりも上側に位置している。
【０１１１】
誘導体６１は、この取付部材６２に対し、部分６１Ａの上側において固定されている。このため誘導体６１は、何ら外力が加えられていないとき（図１１（Ａ））、部分６１Ｂにおいて搬送路Ｗ１と交差し、部分６１Ｃを放出点Ｐのわずか下方から前下方へ向け、部分６１Ｄを前上方へ向け、部分６１Ｅをさらに上方へ向けて、部分６１Ｆを下面２１ＣＸの上側において後方へ折り返させている。因みに下面２１ＣＸには、部分６１Ｄ及び６１Ｅを挿通させる一方、部分６１Ｆを通過させないような形状の挿通孔が穿設されている。
【０１１２】
また誘導体６１は、薄板状の金属部材で構成されることにより、一般的な板ばねと同様、可撓性及び弾性を有している。
【０１１３】
このため誘導体６１は、搬送路Ｗ１に紙幣ＢＬが搬送され、その一部が紙幣搬送ローラ３５及び３６により挟持されたときに、放出点Ｐよりも後方において、当該紙幣ＢＬによって部分６１Ｂの一部が上方へ持ち上げられる。
【０１１４】
このとき誘導体６１は、図１１（Ｂ）に示すように、部分６１Ａの下側から部分６１Ｂの上側に渡る部分（以下これを変形部６１Ｐと呼ぶ）を変形させ、部分６１Ｃを下面２１ＣＸに近接させる程度まで持ち上げると共に、部分６１Ｄ及び部分６１Ｅを当該下面２１ＣＸよりも上方に位置させる。
【０１１５】
また誘導体６１の部分６１Ｃ、６１Ｄ及び６１Ｅは、放出部３７から放出された紙幣ＢＬがまっすぐ前方へ進行する場合の進行路Ｗ２よりも上側に持ち上げられている。以下、このときの誘導体６１の状態を持上状態と呼ぶ。
【０１１６】
その後誘導体６１は、紙幣ＢＬが集積空間ＳＣ内へ放出されるなどして当該紙幣ＢＬにより持ち上げられなくなると、変形部６１Ｐの復元力（弾性力）の作用により元の状態、すなわち部分６１Ｃ、６１Ｄ及び６１Ｅを進行路Ｗ２よりも下側に下降させた状態（以下これを下降状態と呼ぶ）に戻る（図１１（Ａ））。
【０１１７】
このとき誘導体６１は、部分６１Ｆを下面２１ＣＸに当接させる（すなわち引っ掛けさせる）ことにより、部分６１Ｅの上端を集積空間ＳＣ内へ落下させないようになされている。
【０１１８】
また誘導体６１は、弾性力が比較的弱くなるよう調整されており、持上状態において紙幣ＢＬにより持ち上げられなくなった後、徐々に元の状態である下降状態に戻るようになされている。
【０１１９】
さらに誘導体６１は、図１２に示すように、下降状態において、部分６１Ｃの下端近傍、部分６１Ｄ及び部分６１Ｅの下端近傍でなる当接部６１Ｑを比較的前側に、具体的には羽根車３８の回転軌跡３８Ｒよりも外側に位置させている。
【０１２０】
一方、載置最上面が高さＨ２にあり、最短紙幣ＢＬＳの先端が当該載置最上面の前端付近に位置しているとき、当該最短紙幣ＢＬＳが位置する範囲は、円弧状の曲線Ｃ１として描かれる。
【０１２１】
この曲線Ｃ１と羽根車３８の回転軌跡３８Ｒとの関係からわかるように、リジェクトカセット１６では、特に誘導体６１が持上状態にあるときに、最短紙幣ＢＬＳの後端が回転軌跡３８Ｒよりも外側に位置する可能性、すなわち舌片３８Ｔにより当該最短紙幣ＢＬＳの後端部分を叩き落とせない可能性がある。
【０１２２】
しかしながら誘導体６１は、持上状態において当接部６１Ｑを最短紙幣ＢＬＳの後端よりも上側に位置させており、やがて持上状態から下降状態に遷移していく。これにより誘導体６１は、当接部６１Ｑを最短紙幣ＢＬＳの後端付近に当接させて下方へ押し下げ、羽根車３８の回転軌跡３８Ｒ内へ誘導することができる。
【０１２３】
このように誘導体６１は、搬送溝３１を搬送される紙幣ＢＬに応じて変形部６１Ｐを変形させることにより、当接部６１Ｑを進行路Ｗ２よりも上側に持ち上げた持上状態と、当該当接部６１Ｑを下降させた下降状態とを遷移し得るようになされている。
【０１２４】
［３．紙幣の集積］
次に、リジェクトカセット１６における紙幣ＢＬの集積動作について説明する。リジェクトカセット１６は、例えば搬送部１３（図２）から紙幣ＢＬが順次搬送されてくる場合、図１３に示すように、最初の紙幣ＢＬ１を搬送溝３１に沿って搬送し、その先端部分を放出部３７（すなわち紙幣搬送ローラ３５及び３６）により挟持する。
【０１２５】
このとき誘導体６１は、紙幣ＢＬ１によって部分６１Ｂの一部が上方へ押し込まれることにより、変形部６１Ｐを変形させながら当接部６１Ｑを上方へ持ち上げた持上状態となる。
【０１２６】
続いてリジェクトカセット１６は、図１４に示すように、放出部３７により紙幣ＢＬ１を順次前方へ送り出して集積空間ＳＣ内へ進行させる。このとき紙幣ＢＬ１は、上述したように上下方向に関する曲げ強度が高められ、先端を殆ど垂れ下げることなく前進していく。このため誘導体６１は、紙幣ＢＬ１により当接部６１Ｑ及びその周囲が下方から支えられることになり、持上状態を維持する。
【０１２７】
またこのとき搬送溝３１は、搬送部１３（図２）から受け渡された次の紙幣ＢＬ２を搬送している。
【０１２８】
その後リジェクトカセット１６は、図１５に示すように、放出部３７により紙幣ＢＬ１を集積空間ＳＣ内へ放出する。このとき紙幣ＢＬ１は、ほぼまっすぐ前進してビルストッパ４１に衝突し、その衝撃が吸収された後、矢印Ｕ１により示すように、羽根車３８の舌片３８Ｔにより後端部分が叩き落とされると共に後方へ引き寄せられ、ステージ２３上に載置される。
【０１２９】
またこのときリジェクトカセット１６は、次の紙幣ＢＬ２の先端部分を放出部３７により挟持している。このため誘導体６１は、紙幣ＢＬ２によって部分６１Ｂの一部が上方へ押し込まれ、引き続き持上状態を維持する。
【０１３０】
因みに誘導体６１は、最初の紙幣ＢＬ１を集積空間ＳＣ内へ放出してから次の紙幣ＢＬ２により持ち上げられるまでの僅かな間、いずれの紙幣ＢＬにも持ち上げられない状態となるものの、上述したように変形部６１Ｐに作用する弾性力が比較的弱いため、元の形状には殆ど戻らず、持上状態を維持することになる。
【０１３１】
その後リジェクトカセット１６は、図１４の状態及び図１５の状態を交互に繰り返すことにより、誘導体６１を持上状態に維持したまま、紙幣ＢＬを集積空間ＳＣ内に順次放出してステージ２３上に集積していく。
【０１３２】
やがてリジェクトカセット１６は、最後の紙幣ＢＬを集積空間ＳＣ内に放出する。ここで、例えば図１６に示すように、最後に放出された紙幣ＢＬが最短紙幣ＢＬＳであり、且つその先端部分がステージ２３上に落下してしまった場合を想定する。
【０１３３】
誘導体６１は、最短紙幣ＢＬＳが集積空間ＳＣ内に放出された直後において、変形部６１Ｐの弾性力が比較的弱いため、誘導体６１が持上状態のままとなっている。
【０１３４】
このとき最短紙幣ＢＬＳは、後端部分が羽根車３８の回転軌跡３８Ｒよりも外側に位置しているため、舌片３８Ｔにより下方へ叩き落とされず、集積空間ＳＣ内の比較的高い位置に浮き上がった状態となっている。この状態の最短紙幣ＢＬＳは、仮に新たな紙幣ＢＬが搬送されて集積空間ＳＣ内に放出された場合には、この新たな紙幣ＢＬと衝突する恐れがある。
【０１３５】
その後誘導体６１は、変形部６１Ｐの弾性力が徐々に作用することにより、当接部６１Ｑを下降させていき、図１７に示すように、当該当接部６１Ｑにより最短紙幣ＢＬＳの後端部分を押し下げて羽根車３８の回転軌跡３８Ｒ内へ押し込みながら下降状態に戻る。
【０１３６】
これにより最短紙幣ＢＬＳは、図１５における紙幣ＢＬ１と同様、羽根車３８の舌片３８Ｔにより後端部分が叩き落とされると共に後方へ引き寄せられ、ステージ２３上に整然と載置される。
【０１３７】
また、図１８に示すように、最後に放出された紙幣ＢＬ３がいわゆるコシの弱い紙幣であった場合にも、図１６に示した場合と同様、その後端部分が羽根車３８の回転軌跡３８Ｒよりも外側に位置する場合がある。
【０１３８】
誘導体６１は、紙幣ＢＬ３の放出直後には持上状態であるものの、変形部６１Ｐの弾性力が徐々に作用することにより、当接部６１Ｑを下降させていき、図１９に示すように、当該当接部６１Ｑにより紙幣ＢＬ３の後端部分を押し下げて羽根車３８の回転軌跡３８Ｒ内へ押し込みながら下降状態となる。
【０１３９】
これにより紙幣ＢＬ３は、やはり羽根車３８の舌片３８Ｔにより後端部分が叩き落とされると共に後方へ引き寄せられ、ステージ２３上に整然と載置される。
【０１４０】
このようにリジェクトカセット１６は、順次搬送されてくる紙幣ＢＬが全て放出された後、最後の紙幣ＢＬの後端が回転軌跡３８Ｒの外に位置していたとしても、誘導体６１を持上状態から下降状態に遷移させ、紙幣ＢＬの後端を当該回転軌跡３８Ｒ内に誘導するようになされている。
【０１４１】
［４．動作及び効果］
以上の構成において、本実施の形態によるリジェクトカセット１６は、ステージ２３、放出部３７、羽根車３８及びビルストッパ４１等に加えて、集積空間ＳＣ内における上寄りの箇所に、変形部６１Ｐ及び当接部６１Ｑを有する誘導体６１を設けた。
【０１４２】
誘導体６１は、変形部６１Ｐを弾性変形させることにより、搬送溝３１内を搬送される紙幣ＢＬにより当接部６１Ｑが持ち上げられた持上状態と、当該紙幣ＢＬの放出完了後に変形部６１Ｐの弾性力により当接部６１Ｑを下降させた下降状態とを遷移できるようにした。
【０１４３】
従ってリジェクトカセット１６は、前端が下降した最短紙幣ＢＬＳやコシの弱い紙幣ＢＬのように、最後に集積空間ＳＣ内に放出した紙幣ＢＬの後端が羽根車３８の回転軌跡３８Ｒよりも外側に位置していたとしても、誘導体６１の当接部６１Ｑを下降させることにより、当該紙幣ＢＬの後端を回転軌跡３８Ｒ内に押し込み、舌片３８Ｔにより叩き落とさせることができる。
【０１４４】
すなわちリジェクトカセット１６は、紙幣ＢＬが間欠的に搬送されてくる場合に、一連の紙幣ＢＬについて集積空間ＳＣ内へ放出し終えた際に、最後の紙幣ＢＬを舌片３８Ｔにより確実に叩き落としてステージ２３上に集積することができる。
【０１４５】
これによりリジェクトカセット１６は、その次に搬送されてくる最初の紙幣ＢＬが集積空間ＳＣ内に放出された際に、最後の紙幣ＢＬと衝突させることを未然に回避することができる。この結果、リジェクトカセット１６は、ステージ２３上に紙幣ＢＬを整然と集積していくことができる。
【０１４６】
また誘導体６１は、搬送溝３１に沿って搬送される紙幣ＢＬにより予め持ち上げられて持上状態となるため、放出部３７から放出された紙幣ＢＬの進行路Ｗ２から予め待避することができる。
【０１４７】
さらに誘導体６１は、紙幣ＢＬが搬送溝３１に沿って搬送されている段階で、放出部３７の紙幣搬送ローラ３５及び３６に挟持される前に、部分６１Ｂ（図１１（Ａ））の一部が紙幣ＢＬにより押し上げられるようにした。このため誘導体６１は、放出部３７から放出された紙幣ＢＬの運動エネルギーを不用意に低下させてその勢いを低下させること無く、集積空間ＳＣ内を前方へ進行させることができる。
【０１４８】
そのうえ誘導体６１は、変形部６１Ｐに作用する弾性力が比較的弱くなるよう調整されている。このため誘導体６１は、集積空間ＳＣ内に放出された直後の紙幣ＢＬがビルストッパ４１に当接するまで持上状態又はこれに近い状態を維持することができ、当該紙幣ＢＬを下降させることなく前進させることができる。
【０１４９】
また誘導体６１は、前後方向の長さが比較的長く、当接部６１Ｑの位置を比較的前方に位置させるよう設計されている。これにより誘導体６１は、紙幣ＢＬの後端が羽根車３８の回転軌跡３８Ｒから最も外れやすい場合、すなわち最短紙幣ＢＬＳの先端が高さＨ２にあるステージ２３の先端近傍に当接している場合であっても（図１１（Ｂ））、当接部６１Ｑを下降させることにより、当該最短紙幣ＢＬＳの後端を回転軌跡３８Ｒ内へ押し込むことができる。
【０１５０】
さらに誘導体６１は、部分６１Ｅ（図１１（Ａ））を下面２１ＣＸよりも上側に到達させ、末端部分（すなわち部分６１Ｆの後端部分）を集積空間ＳＣ外に位置させるようにした。このため誘導体６１は、保守作業等の際にリジェクトカセット１６の前扉２２（図３）が解放されて集積空間ＳＣ内に作業者の手が入れられた際に、作業者の手に引っかかり変形してしまう恐れや、作業者の手を末端部分で負傷させてしまう恐れがない。
【０１５１】
そのうえ誘導体６１は、細長く形成した金属板を折り曲げるといったきわめて簡素な材料及び工程により、容易に製造することができる。
【０１５２】
またビルストッパ４１は、後面に段差を形成したことにより、下側部分においてステージ２３及びこれに載置された最長紙幣ＢＬＬと干渉することなく、上側部分においてまっすぐ前方へ進行した最短紙幣ＢＬＳの後端を羽根車３８の回転軌跡３８Ｒの範囲内に留めることができる（図７及び図８）。
【０１５３】
さらにステージ２３は、紙幣ＢＬを集積する際、紙幣制御部１１による制御の下で、載置最上面を最も低い場合であっても高さＨ２に位置させるようにした（図１０（Ｃ））。このためステージ２３は、最短紙幣ＢＬＳの前端が載置最上面にまで下降した際であっても、誘導体６１が下降状態に遷移したときに、当接部６１Ｑにより当該最短紙幣ＢＬＳの後端部分を羽根車３８の回転軌跡３８Ｒ内に押し入れさせることができる（図１７）。
【０１５４】
以上の構成によれば、リジェクトカセット１６は、集積空間ＳＣ内における上寄りの箇所に誘導体６１を設けた。誘導体６１は、搬送溝３１内を搬送される紙幣ＢＬによって変形部６１Ｐを変形させ当接部６１Ｑが持ち上げられた持上状態と、当該紙幣ＢＬの放出完了後に変形部６１Ｐの弾性力により当接部６１Ｑを下降させた下降状態とを遷移するようにした。このためリジェクトカセット１６は、紙幣ＢＬが放出部３７から放出される際に当接部６１Ｑを進行路Ｗ２から待避させる一方、最後に集積空間ＳＣ内に放出した紙幣ＢＬの後端が羽根車３８の回転軌跡３８Ｒよりも外側に位置していたときに、当接部６１Ｑを下降させ当該紙幣ＢＬの後端を回転軌跡３８Ｒ内に押し込んで舌片３８Ｔによって叩き落とさせることができ、当該紙幣ＢＬを整然と集積することができる。
【０１５５】
［５．他の実施の形態］
なお上述した実施の形態においては、誘導体６１に変形部６１Ｐを設け、放出部３７から紙幣ＢＬを放出する際に当接部６１Ｑを進行路Ｗ２よりも上側に待避させた持上状態とし、放出後の紙幣ＢＬを下方向へ進行させないようにした場合について述べた（図１１）。
【０１５６】
しかしながら本発明はこれに限らず、例えば誘導体６１から変形部６１Ｐを省略して変形しないようにし、誘導体６１の当接部６１Ｑを進行路Ｗ２よりも僅かに下側に位置させ、放出後の紙幣ＢＬを僅かに下方へ進行させるもののビルストッパ４１の後面に適切に当接させると共に、紙幣ＢＬの後端部分を羽根車３８の回転軌跡３８Ｒ内に位置させるよう誘導するようにしても良い。
【０１５７】
また上述した実施の形態においては、放出点Ｐの後方において、放出前であり搬送溝３１内を搬送される紙幣ＢＬにより、誘導体６１における部分６１Ｂ（図１１（Ａ））を押し上げて当接部６１Ｑを進行路Ｗ２よりも上側に持ち上げさせるようにした場合について述べた。
【０１５８】
しかしながら本発明はこれに限らず、例えば誘導体６１をより前方に位置させ、放出点Ｐの前方において、放出された直後の紙幣ＢＬにより誘導体６１における部分６１Ｂを押し上げて、当接部６１Ｑを進行路Ｗ２よりも上側に持ち上げさせるようにしても良い。この場合、例えば放出部３７による紙幣ＢＬの駆動力を高めることにより、放出後の紙幣ＢＬが誘導体６１により下方へ進行しないよう配慮することが望ましい。
【０１５９】
さらに上述した実施の形態においては、誘導体６１の変形部６１Ｐに弾性力を持たせ、当接部６１Ｑが持ち上げられた状態からこの弾性力の作用により当接部６１Ｑを下降させるようにした場合について述べた。
【０１６０】
しかしながら本発明はこれに限らず、例えば変形部６１Ｐに弾性力を殆ど作用させずに変形するようにし、当接部６１Ｑが持ち上げられた持上状態から自重により下降して下降状態に遷移するようにしても良い。
【０１６１】
さらに上述した実施の形態においては、誘導体６１に変形部６１Ｐを設け、当該変形部６１Ｐを変形させることにより持上状態又は下降状態に遷移するようにした場合について述べた。
【０１６２】
しかしながら本発明はこれに限らず、例えばフレーム２１の上側部２１Ｃに対し誘導体６１を上下方向に移動可能に取り付けると共に当該誘導体６１を変形しないように構成し、誘導体６１全体が上下方向へ移動することにより、持上状態又は下降状態に遷移するようにしても良い。
【０１６３】
さらに上述した実施の形態においては、載置最上面が高さＨ２にあり、最短紙幣ＢＬＳの先端が当該載置最上面の前端付近に位置している場合に、下降状態に遷移することにより、当接部６１Ｑ１を最短紙幣ＢＬＳの後端付近に当接させて回転軌跡３８Ｒ内へ誘導するように、誘導体６１を設計するようにした場合について述べた。
【０１６４】
しかしながら本発明はこれに限らず、例えば載置最上面が高さＨ２にあり、最短紙幣ＢＬＳの先端が当該載置最上面の前端付近に位置しており、さらに当該最短紙幣ＢＬＳのコシが弱く湾曲している場合にも、下降状態に遷移することにより、当接部６１Ｑ１を最短紙幣ＢＬＳの後端付近に当接させて回転軌跡３８Ｒ内へ誘導する等、他の種々の状態にある紙幣ＢＬを回転軌跡３８Ｒ内へ誘導するように、誘導体６１を設計しても良い。
【０１６５】
さらに上述した実施の形態においては、末端部分（すなわち部分６１Ｆの後端部分）を集積空間ＳＣ外に位置させるようにした場合について述べた（図１１（Ａ））。
【０１６６】
しかしながら本発明はこれに限らず、例えば誘導体６１から部分６１Ｅ及び６１Ｆを省略し、部分６１Ｄの前側端部を当該誘導体６１の末端とするようにしても良い。この場合、例えば面取り加工や丸め加工等を施すことにより、作業者の手に触れた際に負傷させないよう配慮することが望ましい。
【０１６７】
さらに上述した実施の形態においては、誘導体６１を、左右方向から見たときに楕円の下側部分を直線近似したような折れ線状に形成する場合について述べた（図１１）。
【０１６８】
しかしながら本発明はこれに限らず、例えば左右方向から見たときに曲線状となるように形成しても良い。また左右方向の幅についても、一定とする以外にも、部分毎に相違させても良い。
【０１６９】
さらに上述した実施の形態においては、薄い金属板を折り曲げ加工することにより誘導体６１を構成するようにした場合について述べた。
【０１７０】
しかしながら本発明はこれに限らず、例えば樹脂材料を成型することにより誘導体６１を構成する等、種々の材料により誘導体６１を構成するようにしても良い。この場合、変形部６１Ｐが弾性変形することにより当接部６１Ｑを進行路Ｗ２よりも上側に持ち上げた持上状態とし、また弾性力の作用により下降させて下降状態とすることができれば良い。また誘導体６１における紙幣ＢＬと当接する表面については、極力抵抗を小さくすることが望ましく、研磨加工並びに低抵抗材料の塗布や貼付等、周知の種々の手法を用いても良い。
【０１７１】
さらに上述した実施の形態においては、誘導体６１を薄い板状の部材により構成するようにした場合について述べた。
【０１７２】
しかしながら本発明はこれに限らず、他の種々の形状の部材により誘導体６１を構成するようにしても良い。例えば図２０（Ａ）に示すように、他の実施の形態によるリジェクトカセット１１６は、金属製の細いワイヤにより構成された誘導体１６１が設けられている。誘導体１６１は、フレーム２１の上側部２１Ｃ内においてその両端が前後２箇所にそれぞれ固定されており、弛みを持って吊り下げられた状態となっている。この誘導体１６１は、持ち上げられていない場合には自重の作用により最短紙幣ＢＬＳの後端部分を羽根車３８の回転軌跡３８Ｒ内に押し入れることができる一方、図２０（Ｂ）に示すように、持ち上げられたときには全体的に変形して紙幣ＢＬの進行路Ｗ２よりも上側に位置することができる。
【０１７３】
さらに上述した実施の形態においては、ビルストッパ４１の後面に段差を設けるようにした場合について述べた。
【０１７４】
しかしながら本発明はこれに限らず、例えばリジェクトカセット１６に集積される紙幣ＢＬについて、最短紙幣ＢＬＳと最長紙幣ＢＬＬとの長さの差が比較的小さい場合等に、ビルストッパ４１の後面に段差を設けないようにしても良い。またこの場合、ビルストッパ４１を省略し、前扉２２の後側面２２Ｘ（図３）に紙幣ＢＬを直接衝突させるようにしても良い。
【０１７５】
さらに上述した実施の形態においては、最上面検知部５１により載置最上面を検知しながら、紙幣制御部１１によりステージ２３の位置を制御するようにした場合について述べた。
【０１７６】
しかしながら本発明はこれに限らず、例えば集積空間ＳＣ内に放出した紙幣ＢＬの枚数を逐次計数し、放出された紙幣ＢＬの枚数に応じてステージ２３の位置を制御するようにしても良い。この場合、要は載置最上面を高さＨ１から高さＨ２の範囲内に収めることにより、集積空間高さＨＳＣを確保すると共に、最短紙幣ＢＬＳの先端部分が下降して載置最上面に当接した際にも後端部分を誘導体６１の当接部６１Ｑにより羽根車３８の回転軌跡３８Ｒ内に押し入れることができれば良い。
【０１７７】
さらに上述した実施の形態においては、紙幣入出金機１０に設けられた紙幣制御部１１により、最上面検知信号等を基にステージ２３の高さを制御するようにした場合について述べた。
【０１７８】
しかしながら本発明はこれに限らず、例えばリジェクトカセット１６内にリジェクトカセット制御部を設け、当該リジェクトカセット制御部により最上面検知信号等を基にステージ２３の高さを制御するようにしても良い。
【０１７９】
さらに上述した実施の形態においては、リジェクトカセット１６に２個の誘導体６１を設けるようにした場合について述べた。
【０１８０】
しかしながら本発明はこれに限らず、リジェクトカセット１６に１個又は３個以上の誘導体６１を設けるようにしても良い。この場合、各誘導体６１については必ずしも同等に構成しなくても良く、例えば左右方向の中心寄りに配置する誘導体６１と外側に配置する誘導体６１とで形状や特性（弾性力の強さ）等を相違させても良い。
【０１８１】
さらに上述した実施の形態においては、リジェクトカセット１６に誘導体６１を設けるようにした場合について述べた。
【０１８２】
しかしながら本発明はこれに限らず、例えば搬送されてきた紙幣ＢＬを内部に収納すると共に収納している紙幣ＢＬを外部へ繰り出す紙幣カセット１７のように、内部に形成した集積空間ＳＣ内に少なくとも紙幣ＢＬを放出して集積する種々の箇所に誘導体６１を設けるようにしても良い。
【０１８３】
さらに上述した実施の形態においては、顧客との間で現金に関する取引処理を行う現金自動預払機１において、媒体としての紙幣ＢＬを内部に集積するリジェクトカセット１６に本発明を適用するようにした場合について述べた。
【０１８４】
しかしながらこれに限らず、例えば金融機関等の窓口において窓口担当の職員に使用される紙幣処理装置（いわゆるテラーマシン）等、紙幣ＢＬを取り扱う種々の装置において、内部に紙幣ＢＬを集積する箇所に本発明を適用するようにしても良い。さらには、例えば証券や金券等のような紙葉状の媒体以外にも、通帳やキャッシュカードのような形状の媒体を含め、種々の媒体を内部に集積する箇所に本発明を適用するようにしても良い。
【０１８５】
さらに上述した実施の形態においては、フレームとしてのフレーム２１と、ステージとしてのステージ２３と、放出部としての放出部３７と、ビルストッパとしてのビルストッパ４１と、叩付部としての羽根車３８と、誘導体としての誘導体６１とによって媒体集積装置としてのリジェクトカセット１６を構成する場合について述べた。
【０１８６】
しかしながら本発明はこれに限らず、その他種々の構成でなるフレームと、ステージと、放出部と、ビルストッパと、叩付部と、誘導体とによって媒体集積装置を構成するようにしても良い。
【０１８７】
さらに上述した実施の形態においては、搬送部としての搬送部１３と、フレームとしてのフレーム２１と、ステージとしてのステージ２３と、放出部としての放出部３７と、ビルストッパとしてのビルストッパ４１と、叩付部としての羽根車３８と、誘導体としての誘導体６１とによって媒体処理装置としての現金自動預払機１を構成する場合について述べた。
【０１８８】
しかしながら本発明はこれに限らず、その他種々の構成でなる搬送部と、フレームと、ステージと、放出部と、ビルストッパと、叩付部と、誘導体とによって媒体処理装置を構成するようにしても良い。
【産業上の利用可能性】
【０１８９】
本発明は、種々の媒体を内部の集積空間に放出して集積する種々の装置でも利用できる。
【符号の説明】
【０１９０】
１……現金自動預払機、１０……紙幣入出金機、１３……搬送部、１６……リジェクトカセット、２１……フレーム、２１Ｓ……内部空間、２３……ステージ、２３Ａ……載置面、３０……ステージ駆動部、３１……搬送溝、３５、３６……紙幣搬送ローラ、３７……放出部、３８……羽根車、３８Ｔ……舌片、３８Ｒ……回転軌跡、４１……ビルストッパ、５１……最上面検知部、６１……誘導体、６１Ｐ……変形部、６１Ｑ……当接部、Ｐ……放出点、ＳＣ……集積空間、ＢＬ……紙幣、ＢＬＳ……最短紙幣、ＢＬＬ……最長紙幣、Ｈ１、Ｈ２……高さ。
【図１】
2014154007.tif 000003
【図２】
2014154007.tif 000004
【図３】
2014154007.tif 000005
【図４】
2014154007.tif 000006
【図５】
2014154007.tif 000007
【図６】
2014154007.tif 000008
【図７】
2014154007.tif 000009
【図８】
2014154007.tif 000010
【図９】
2014154007.tif 000011
【図１０】
2014154007.tif 000012
【図１１】
2014154007.tif 000013
【図１２】
2014154007.tif 000014
【図１３】
2014154007.tif 000015
【図１４】
2014154007.tif 000016
【図１５】
2014154007.tif 000017
【図１６】
2014154007.tif 000018
【図１７】
2014154007.tif 000019
【図１８】
2014154007.tif 000020
【図１９】
2014154007.tif 000021
【図２０】
2014154007.tif 000022
【図２１】
2014154007.tif 000023
【図２２】
2014154007.tif 000024